(57)【特許請求の範囲】
【請求項１】
被印刷物処理機械において被印刷物（１）上のレジスタマーク（２）を検出するために用いられ、且つ、コンピュータ（５）と接続されているレジスタセンサ（４）の評価領域（ＲＯＩ）を求めるための方法において、
前記レジスタセンサ（４）は、第１のステップにおいて、被印刷物（１）の縁部（３）を測定し、該縁部（３）を基準にして、前記評価領域（ＲＯＩ）を開始値（ＲＯＩStart）にセットし、続いて、少なくとも１つの第２のステップにおいて、前記レジスタセンサ（４）によって前記レジスタマーク（２）の第１の縁部が識別されるまで、前記評価領域（ＲＯＩ）を増分された値（ＲＯＩEnde）にセットすることを特徴とする、レジスタセンサ（４）の評価領域（ＲＯＩ）を求めるための方法。
【請求項２】
前記被印刷物（１）上の前記レジスタマーク（２）の一方の縁部が識別されると、前記評価領域（ＲＯＩ）の値を終了値（ＲＯＩmax Ende）として前記コンピュータ（５）に記憶し、従って、前記評価領域（ＲＯＩ）を記憶する、請求項１に記載の方法。
【請求項３】
前記評価領域（ＲＯＩ）の拡張を、複数回のステップで前記コンピュータ（５）によって行う、請求項１に記載の方法。
【請求項４】
前記評価領域（ＲＯＩ）を、前記被印刷物処理機械の引っ張りエラー分だけ拡張する、請求項１乃至３のいずれか１項に記載の方法。
【請求項５】
考慮される前記引っ張りエラーの値は、前記レジスタマーク（２）の２つの縁部相互間の距離の半分の値よりも小さい、請求項４に記載の方法。
【請求項６】
前記被印刷物処理機械が起動される度に、また新たなジョブが発生する度に、前記レジスタセンサ（４）の前記評価領域（ＲＯＩ）の学習を前記コンピュータ（５）の制御下で開始させるエラー信号を前記コンピュータ（５）において形成する、請求項１乃至５のいずれか１項に記載の方法。
【請求項７】
新たなジョブが発生する度に、前記被印刷物（１）の前記縁部（３）から前記レジスタマーク（２）までの目標距離を、前記ジョブに属するプリプレスデータから求め、規定された前記評価領域（ＲＯＩ）と前記コンピュータ（５）において比較する、請求項１乃至６のいずれか１項に記載の方法。
【請求項８】
前記評価領域（ＲＯＩ）に関して求められた前記値（ＲＯＩEnde）を、その都度実行すべきジョブに関連付けて前記コンピュータ（５）に記憶し、該値（ＲＯＩEnde）を繰り返しジョブの発生時に呼び出し可能である、請求項１乃至７のいずれか１項に記載の方法。
【請求項９】
先ず、前記レジスタマーク（２）の前記第１の縁部を検出することによって前記評価領域（ＲＯＩ）を求め、該評価領域を続けて、前記コンピュータ（５）によって遮蔽し、新たな測定を実行し、前記レジスタマーク（２）の次の縁部が識別されるまで、前記評価領域（ＲＯＩ）を第２の評価領域として拡大する、請求項１乃至８のいずれか１項に記載の方法。
【請求項１０】
前記被印刷物（１）の前記縁部（３）と前記レジスタマーク（２）の前記第１の縁部との間の距離を差し引いた形の前記第２の評価領域を、プリプレスデータから取得された前記レジスタマーク（２）の幅と比較し、前記レジスタセンサ（４）を用いた測定によって前記被印刷物（１）において求められた前記レジスタマーク（２）の幅が、前記プリプレスデータから読み出された前記レジスタマーク（２）の幅から偏差する場合には、前記被印刷物処理機械を制御するための信号又はオペレータに出力するための信号を形成する、請求項９に記載の方法。
【発明の詳細な説明】
【技術分野】
【０００１】
本発明は、被印刷物処理機械において被印刷物上のレジスタマークを検出するために用いられ、且つ、コンピュータと接続されているレジスタセンサの評価領域を求めるための方法に関する。
【背景技術】
【０００２】
シート縁部又は被印刷物上のレジスタマークを検出するためのその種のレジスタセンサは、特に、印刷機及びシート打ち抜き機において、例えばフィードの際のシート状の被印刷物の位置決定を制御できるようにするために使用されている。その際に、通常は光学センサが使用される。フィードを、またそれと共に被印刷物の位置決定を機械において正確に調整できるようにするために、各レジスタマークが正確に検出されることが必要である。その際、レジスタマークが正確に識別され、且つ、レジスタマークの縁部の代わりに、例えば障害となる塗料縁部のような別の縁部が誤ってレジスタマークの縁部として判断されないことが極めて重要である。何故ならば、レジスタマークの縁部として誤って判断されてしまうと、顕著な測定誤差による誤調整が確実に行われることになるからである。多くの場合、機械のオペレータはこの誤調整を認識しないので、それによって生産の際に刷り損じが確実に生じることになる。障害となる縁部を遮蔽するための１つの実現手段として、レジスタセンサに被印刷物の特定の範囲だけを監視させることが挙げられる。この特定の領域は、英語の専門用語ではＲＯＩ（ｒｅｇｉｏｎ  ｏｆ  ｉｎｔｅｒｅｓｔ）と称される。このＲＯＩがオペレータによって正確に選択されなければ、上述の顕著な測定誤差による誤調整が行われることになる。
【発明の概要】
【発明が解決しようとする課題】
【０００３】
従って本発明の課題は、オペレータによる誤調整を可能な限り回避する、被印刷物処理機械において被印刷物上のレジスタマークの検出に用いられるレジスタセンサの評価領域を求めるための方法を提供することである。
【課題を解決するための手段】
【０００４】
本発明によれば、この課題は、請求項１に記載の構成によって解決される。また本発明の有利な実施の形態は、従属請求項、図面並びに以下の説明より明らかになる。本発明によれば、ＲＯＩが自動的に検出されて、レジスタセンサに伝送されることが提案される。このために、本発明によれば、レジスタセンサがコンピュータと接続されており、レジスタセンサが、先ず、第１の方法ステップにおいて、被印刷物の縁部を測定し、続いて、その測定された縁部を基準にして、評価領域が開始値にセットされる。このことは、評価領域（ＲＯＩ）の境界部は被印刷物の縁部であり、従ってシート状の被印刷物の場合にはシート縁部であることを意味している。続いて、少なくとも１つの第２のステップにおいて、評価領域が増分された値にセットされ、この値は、レジスタセンサによってレジスタマークの第１の縁部が識別されるまで増分され続ける。このようにしてレジスタマークの第１の縁部に接近していくことによって、評価領域の大きさは常に、その評価領域がレジスタマークの一方の縁部のみを検出するような大きさであることが保証される。即ち、評価領域がレジスタマークの反対側の縁部も検出すると、レジスタマークの誤った縁部が基準値とみなされ、従って、被印刷物の位置決定がレジスタマークの幅分だけずれて行われる危険が生じる。これは、生産時の相応の欠陥品をもたらし、また「ジャンプ」とも称される。
【０００５】
本発明の第１の構成においては、被印刷物上のレジスタマークの一方の縁部が識別されると、評価領域の値が終了値としてコンピュータに記憶され、従って、評価領域が記憶される。被印刷物上のレジスタマークの第１の縁部がレジスタセンサによって識別されるのと同時に、評価領域はその最終的な大きさに達しており、従って評価領域の値が確定される。またこの値を自動的に機械のコンピュータに記憶することができる。これによって、評価領域が自動的に確定されるので、オペレータが誤った評価領域、特に、レジスタマークの反対側の縁部も検出される過度に大きい評価領域を選択する危険は生じなくなる。そのような誤った評価領域が選択されると、エラー、特に誤ったレジスタマーク縁部へのジャンプによるエラーが発生する可能性がある。
【０００６】
更に有利には、評価領域の拡張は複数回のステップでコンピュータによって行われる。この場合、コンピュータにおいては、レジスタマークの通常の幅よりも狭いか又は著しく狭い所定のステップ幅が設定されている。これによって、評価領域を少なくとも１ステップ分拡張した際、そのステップは、ステップ後にレジスタマークの第１の縁部も反対側の縁部も検出されるほどの大きさではないことを保証することができる。むしろそのような十分に小さいステップによって、更に１ステップずつ拡張した際に、最大でもレジスタマークの１つの縁部しか検出されないことが保証されている。評価領域を拡張する際の所定のステップ幅は、有利には制御コンピュータに記憶されている。
【０００７】
本発明の別の実施の形態においては、更に、評価領域が被印刷物処理機械の引っ張りエラー分だけ拡張される。被印刷物処理機械の引っ張りエラー分だけ評価領域を拡張することによって、被印刷物処理機械において最大許容引っ張りエラーが生じた場合であっても、少なくとも、レジスタマークの第１の縁部が検出されることが保証される。この場合、考慮される引っ張りエラーの値を、レジスタマークの２つの縁部相互間の距離の半分の値よりも小さくすることが重要になる。つまり、機械の最大引っ張りエラーが生じた場合であっても、レジスタマークのただ１つの縁部だけが、しかもレジスタマークのシート縁部側にある第１の縁部だけが評価領域内に位置することだけを保証することができる。これによって、レジスタマークの２つの縁部間のジャンプを確実に阻止することができる。
【０００８】
更に有利には、被印刷物処理機械が起動される度に、また新たなジョブが発生する度に、レジスタセンサの評価領域の学習をコンピュータの制御下で開始させるエラー信号がコンピュータにおいて形成される。オペレータが機械を起動させるか、又はコンピュータにおいて新たな生産ジョブを呼び出すのと同時に、コンピュータにおいては、位置決定ジョブの即座の実行を阻止するエラー信号が形成される。その代わりに、このエラー信号によって、先ず、レジスタセンサの評価領域の学習がトリガされ、学習プロセスがコンピュータの制御下で実施される。これによって、機械が起動される度に、また、生産ジョブが発生する度に、先ずレジスタセンサの評価領域の学習が行われるので、オペレータが学習プロセスを誤って失念することはないことが保証される。但しこの関係においては、例外を想定することができる。即ち、評価領域に関して求められた値が、その都度実行すべきジョブに関連付けられてコンピュータに記憶され、繰り返しジョブの発生時にはその値を呼び出すことができる、という例外を想定することができる。つまり繰り返しジョブが呼び出される場合には、評価領域の学習プロセスを再度行うことは必ずしも必要ではない。何故ならば、学習プロセスを再度行う代わりに、繰り返しジョブに属する、評価領域の記憶された値を即座に呼び出すことができるからである。この場合には、学習プロセスを省略することができるが、それにもかかわらず、評価領域が正確に調整されることが保証される。
【０００９】
本発明の別の実施の形態においては、新たなジョブが発生する度に、被印刷物の縁部からレジスタマークまでの目標距離が、生産ジョブに属するプリプレスデータから求められ、規定された評価領域とコンピュータにおいて比較される。プリプレスデータに基づき、被印刷物の縁部からレジスタマークまでの目標距離を問題なく取得することができ、またコンピュータに読み込ませることができる。理論上は、この距離が、正確にレジスタマークの外側の第１の縁部にまで達している、規定された評価領域と同一であることが望ましい。上記の比較の際に、許容誤差を上回る偏差が求められた場合には、レジスタマークの縁部が正確に検出されたのではなく、塗料縁部のような別の縁部が誤って検出された可能性があるとみなされる。従って、プリプレスデータとの比較は妥当性検査を可能にし、また、レジスタマークの一方の縁部の誤った識別を回避することの助けとなる。
【００１０】
本発明の別の構成においては、先ず、レジスタマークの第１の縁部が検出されることによって評価領域が求められ、この評価領域が続けて、コンピュータによって遮蔽され、新たな測定が実行され、レジスタマークの次の縁部が識別されるまで、評価領域が第２の評価領域として拡大される。この場合、レジスタマークの外側の第１の縁部のみが検出されるのではなく、レジスタマークの内側の第２の縁部も検出される。しかしながら、２つの評価領域が検出されて、第１の評価領域も同様に記憶されるので、第２の評価領域と比較した第１の評価領域を考慮して、常にレジスタマークの正確な縁部が検出されることを保証することができる。第２の評価領域は、レジスタマークの幅の妥当性検査に使用することができるという利点を有している。このために、被印刷物の縁部とレジスタマークの第１の縁部との間の距離を差し引いた形の第２の評価領域は、プリプレスデータから取得されたレジスタマークの幅と比較され、レジスタセンサを用いた測定によって被印刷物において求められたレジスタマークの幅が、プリプレスデータから読み出されたレジスタマークの幅から偏差する場合には、被印刷物処理機械を制御するための信号又はオペレータに出力するための信号が形成される。このようにして、上記において既に言及したように、レジスタマークから被印刷物縁部までの距離を検査して、妥当性検査を実施できるだけでなく、更には、レジスタマークの幅と、プリプレスデータに由来するレジスタマークの幅のデータとの比較も行うことができ、つまり別の妥当性検査も実施することができる。そのようにして求められたレジスタマークの実際の幅が、プリプレスデータに由来するレジスタマークの所定の幅と一致しない場合には、ここでもまたエラーが存在し、特に、縁部が誤って解釈されたか、又はその他の誤測定が存在しているとみなされる。
【００１１】
更に本発明によれば、プリプレスデータに由来するレジスタマークの目標幅と、被印刷物上のレジスタマークの実際に求められた幅との間に偏差が存在する場合には、被印刷物処理機械を制御するための信号又はオペレータに出力するための信号を形成することができる。この信号によって、生産ジョブの更なる処理を中断させることができ、またディスプレイにおいて相応の警告をオペレータに出力することができるので、その結果、刷り損じが生じることは回避される。このことは、被印刷物処理機械の運転時のプロセスの安全性を著しく高め、従って機械のオペレータにとって大きな利点を提供する。
【００１２】
本発明による方法は、長手方向のレジスタ、周方向のレジスタ及び傾斜したレジスタでのレジスタセンサの評価領域の調整に適している。この際、有利には、電気的な駆動モータを介したセンサの相応の自動的な位置決定によって、評価領域をコンピュータによって全自動で設定することができる。この場合、コンピュータは相応の信号をセンサの位置決定め用の駆動モータに出力し、評価領域は、レジスタマークの第１の縁部が識別されるまで、段階的に拡大される。この場合、オペレータを介さずに、本方法を全自動で実施することができる。
【００１３】
以下では、複数の図面に基づき、本発明を詳細に説明する。
【図面の簡単な説明】
【００１４】
【図１】従来技術による方法を示す。
【図２】被印刷物処理機械の引っ張りエラーを考慮しない本発明による方法を示す。
【図３】被印刷物処理機械の引っ張りエラーを考慮した本発明による方法を示す。
【発明を実施するための形態】
【００１５】
図１には、シート状の被印刷物１が示されており、この被印刷物１上にはレジスタマーク２が印刷されている。このレジスタマーク２はある程度の幅を有しており、またその側方は通常の場合シート１の縁部に平行に延びる２つの縁部によって画定されている。シート縁部３及びレジスタマーク２をレジスタセンサ４によって検出することができ、このレジスタセンサ４自体は、被印刷物処理機械の制御コンピュータ５と接続されている。従来技術においては、評価領域ＲＯＩを求めるために、この評価領域ＲＯＩが、最小ＲＯＩ値ＲＯＩminから最大ＲＯＩ値ＲＯＩmaxに直接的に調整される。しかしながら、この場合には、レジスタマーク２の２つの縁部が完全に評価領域ＲＯＩ内に位置し、その結果、レジスタマーク２の２つの縁部が識別されるという危険が存在する。そのような状態で、シート１の位置合わせに関して、レジスタマーク２の誤った縁部が基準点にされてしまうと、シート１は被印刷物処理機械において誤った位置に位置決めされるので、多くの処理過程が正確に実行されなくなる。従って、刷り損じが生じる。
【００１６】
この欠点は、図２に示した本発明による方法によって補われる。図２においては、レジスタセンサ４が、開始時最小ＲＯＩ値ＲＯＩmin Startから出発して、レジスタマーク２の第１の縁部が識別されるまで段階的に拡大される。続いてこの値が、許容される終了時最大ＲＯＩ値ＲＯＩmax Endeとして記憶される。またこの値は、評価領域ＲＯＩにおいてはレジスタマーク２の外側の第１の縁部のみが識別されることを保証する。これによって、レジスタマーク２の２つの縁部が検出され、レジスタマークの幅分のジャンプが行われることは確実に回避される。この方法の開始値は、開始時最小ＲＯＩ値ＲＯＩmin Startと開始時最大ＲＯＩ値ＲＯＩmax Startとの間にあり、これら２つの値は、シート縁部３とレジスタマーク２との間にあるので、開始時にはレジスタマーク２のいずれの縁部も検出されない。評価領域ＲＯＩを拡大し続けることによって、いずれかの時点において初めてレジスタマーク２の第１の縁部が検出され、続いて本方法が終了される。その際に検出された値が、終了時最大ＲＯＩ値ＲＯＩmax Endeとして制御コンピュータ５に記憶され、従って、生産ジョブの実行時に使用される最大許容評価領域ＲＯＩが制御コンピュータ５に記憶される。
【００１７】
図３に示した本発明の別の実施の形態においては、被印刷物処理機械の引っ張りエラーも付加的に考慮される。但し、この場合には、被印刷物処理機械の最大許容引っ張りエラーが、レジスタマーク２の幅の半分の値よりも小さいことが保証されなければならない。何故ならば、そうでない場合には、やはりレジスタマーク２の２つの縁部間でのジャンプが行われる虞が生じるからである。事前に図２において求められた終了時最大ＲＯＩ値ＲＯＩmax Endeが、測定された縁部の位置Ｋとして記憶され、この測定された縁部の位置Ｋを基準にして、縁部の位置Ｋから最大引っ張りエラーを減算した値が生産時最小ＲＯＩ値ＲＯＩmin Produktionとして規定され、その一方で、生産時最大ＲＯＩ値ＲＯＩmax Produktionは、縁部の位置Ｋに最大引っ張りエラーを加算した値から形成される。従って、この場合には、評価領域ＲＯＩが生産時最小ＲＯＩ値ＲＯＩmin Produktionと生産時最大ＲＯＩ値ＲＯＩmax Produktionとの間に位置しており、これにより、レジスタマーク２の外側の一方の縁部のみが常に評価領域ＲＯＩ内に位置することが保証されているので、その結果、レジスタマーク２の縁部を検出する際のジャンプは排除されている。
【符号の説明】
【００１８】
１  シート
２  レジスタマーク
３  シート縁部
４  レジスタセンサ
５  制御コンピュータ
ＲＯＩ  評価領域
ＲＯＩmin  最小ＲＯＩ値
ＲＯＩmax  最大ＲＯＩ値
ＲＯＩmin Start  開始時最小ＲＯＩ値
ＲＯＩmax Start  開始時最大ＲＯＩ値
ＲＯＩmax Ende  終了時最大ＲＯＩ値
Ｋ  測定された縁部の位置
ＲＯＩmin Produktion  生産時最小ＲＯＩ値
ＲＯＩmax Produktion  生産時最大ＲＯＩ値
【要約】
【課題】オペレータによる誤調整を可能な限り回避する、被印刷物処理機械において被印刷物上のレジスタマークの検出に用いられるレジスタセンサの評価領域を求めるための方法を提供する。
【解決手段】被印刷物処理機械において被印刷物（１）上のレジスタマーク（２）を検出するために用いられ、且つ、コンピュータ（５）と接続されているレジスタセンサ（４）の評価領域（ＲＯＩ）を求めるための方法において、レジスタセンサ（４）が、第１のステップにおいて、被印刷物（１）の縁部（３）を測定し、該縁部（３）を基準にして、評価領域を開始値（ＲＯＩStart）にセットし、続いて、少なくとも１つの第２のステップにおいて、レジスタセンサ（４）によってレジスタマーク（２）の第１の縁部が識別されるまで、評価領域を増分された値（ＲＯＩEnde）にセットする。
【選択図】図２【図１】
0005959779.tif 000002
【図２】
0005959779.tif 000003
【図３】
0005959779.tif 000004